(57)【特許請求の範囲】
【請求項１】
合成樹脂製の型物成形品である受け台と、この受け台の前面部に嵌合可能に装着される同様な型物成形品であるケーブル受けと、このケーブル受けに回動可能に装着される同様な型物成形品であるケーブル押えとを備え、ケーブル受けにはケーブル押えとの間にケーブルを挟着できるケーブル支持部が突設されており、そのケーブル受けは、ケーブル支持部上に支持されるケーブル位置と受け台を壁面部に固定するアンカーボルト位置がほぼ同じ高さになるように、受け台に装着され、ケーブル支持部とケーブル押えの前端側は互いに止め外し可能な接合部にそれぞれ形成されている一方、受け台には、その受け台にケーブル受けが装着されてケーブル支持部がケーブル押えにより閉じられた時に、該ケーブル押えの後端側に設けられている抜け止めが係止できる係止部が設けられていることを特徴とするケーブル支持具。
【請求項２】
ケーブル受け側には、アンカーボルトの挿通部分に臨ませて、該アンカーボルトのねじ山に係入するナット脱落防止片が取り付けられていることを特徴とする請求項１記載のケーブル支持具。
【発明の詳細な説明】
【０００１】
【発明の属する技術分野】
本発明は、新幹線等の軌道に沿って布設されるケーブルを支持するために、特にトンネル等の壁面部に取り付けて用いられるケーブル支持具に関する。
【０００２】
【従来の技術】
例えば、トンネル等の壁面部に固定される合成樹脂製の型物成形品である受け台と、この受け台に装着される同様な型物成形品であるケーブル受けを備えた従来のケーブル支持具は、受け台の上部個所または上下２か所でアンカーボルトにより側壁に取り付け、ケーブルをアンカーボルトによる受け台取り付け部の下方或いは中間部分でケーブル受け上に支持して、ケーブルを適当な抑止具を用いてケーブル受け上にを抑止できるように構成されている。
【０００３】
【発明が解決しようとする課題】
ケーブルは車両通過時に風圧を受けるが、トンネル内では車両通過直後に強い風圧が発生して振動し、特に、カーブ個所ではケーブルの自重とトンネル中心方向への吸引力による影響を受けて、トンネル壁面から離れる方向へ向かって大きな荷重が作用し、アンカーボルトによる受け台の取り付け部に応力が生じて、この応力の反復が原因で支持台は取付け部から破損し、支持機能を喪失するという問題があった。
【０００４】
本発明はかかる問題を解決したものであって、その目的は、ケーブルの支持位置と受け台を取り付けるアンカーボルト位置をほぼ同じ高さとして、大きな荷重が作用しても応力の発生を可及的に軽減して破損する心配を解消する一方、ケーブル押えによりケーブルの抑止と同時に受け台からのケーブル受けの抜け止めが果たされるように改良したケーブル支持具を提供することにある。また、他の目的は、振動等でアンカーボルトのナットが緩んだ場合でも、ナットの脱落を阻止してケーブル支持機能を保持できるように改良したケーブル支持具を提供することにある。
【０００５】
【課題を解決するための手段】
本発明の上記目的を達成するために、本発明の特徴とするケーブル支持具は、合成樹脂製の型物成形品である受け台と、この受け台の前面部に嵌合可能に装着される同様な型物成形品であるケーブル受けと、このケーブル受けに回動可能に装着される同様な型物成形品であるケーブル押えとを備え、ケーブル受けにはケーブル押えとの間にケーブルを挟着できるケーブル支持部が突設されており、そのケーブル受けは、ケーブル支持部上に支持されるケーブル位置と受け台を壁面部に固定するアンカーボルト位置がほぼ同じ高さになるように、受け台に装着され、ケーブル支持部とケーブル押えの前端側は互いに止め外し可能な接合部にそれぞれ形成されている一方、受け台には、その受け台にケーブル受けが装着されてケーブル支持部がケーブル押えにより閉じられた時に、該ケーブル押えの後端側に設けられている抜け止めが係止できる係止部が設けられている構成である。
【０００６】
この構成にによれば、例えばトンネル内カーブ個所のケーブル布設で車両通過時に大きな荷重が作用しても、アンカーボルトによる取付け部に発生する応力は軽減され、本支持具は強度的に安定して耐久性が向上する。また、ケーブル受け側には、アンカーボルトの挿通部分に臨ませて、該アンカーボルトのねじ山に係入するナット脱落防止片を取り付け、受け台を締め付けるナットの脱落を阻止して、ケーブルの支持機能を維持できるように実施するのが好ましい。
【０００７】
【発明の実施の形態】
以下に、本発明の実施の形態を図面を参照して説明する。１はトンネル等の壁面部ｗに固定される受け台、２は受け台１の前面部に嵌合可能に装着されるケーブル受け、３はケーブル受け２に回動可能に装着されるケーブル押え（４はそのヒンジ部であり、ケーブル受け２側に弾性の挟持部として形成されている。）であって、これらの部材は従来のものと同様に何れもナイロン等の合成樹脂製の型物成形品である。なお、ヒンジ部４にはケーブル押え３側の軸部４ａが装着されている。図中、５は受け台１を壁面部ｗに固定するアンカーボルト、６はそのナットである。
【０００８】
受け台１の前面部は中間部１１を残して左右の縁部１２，１２側が相対向した嵌合溝１３，１３に形成されており、中間部１１には後述するケーブル支持部上に支持されるケーブル位置とほぼ同じ高さでアンカーボルト５の挿通穴１４が設けられている。ケーブル受け２の後部は嵌合溝１３，１３間に上方から挿入できるように門形状の嵌合部２１に形成されており、嵌合部２１には、ケーブル押え３の下側に位置して該ケーブル押え３との間にケーブルｃ（図５を参照）を挟着するケーブル支持部２２が突設されている。
【０００９】
ケーブル支持部２２は上方へ向かってゆるやかに傾斜し、その下面は嵌合部２１と連続して鞍状に開放しており、ケーブル支持部２２のヒンジ部４に臨んだ下部には、アンカーボルト５のねじ山に係入してナット６の脱落を阻止する、ナット脱落防止片（金属製のバネ片）７が取り付けられている。また、ケーブル支持部２２とケーブル押え３の前端側は互いに止め外し可能な接合部２３，３１にそれぞれ形成され、両接合部２３，３１には後述する止めピンの差し込み部２３ａ，３１ａが相対応した状態で設けられている。
【００１０】
ケーブル押え３には軸部４ａの左右両端側に後方へ向けて突片状の抜け止め３２，３２が連設され、他方、受け台１には、嵌合溝１３，１３間にケブル受け２の嵌合部２１が嵌合して該ケブル受け２が受け台１に装着され、ケーブル支持部２２がケーブル押え３により閉じられた時に、上記抜け止め３２，３２を下側から係止できるようにした鍔状の係止部１５，１５がその左右両側縁１２，１２の上端側寄りに設けられている。なお、ケーブル支持部２２の上面部２２ａは、ケーブル押え３との間にケーブルｃを支持するために湾曲面に形成されている。
【００１１】
次に、上記構成に係るケーブル支持具の作用を説明する。先ず、受け台１をアンカーボルト５とナット６により壁面部ｗに取り付け、受け台１の嵌合溝１３，１３間にケーブル受け２の嵌合部２１を挿入して受け台１にケーブル受け２を装着する。受け台１にケーブル受け２が装着されると、ケーブル受け２側に取り付けられているナット脱落防止片７はナット６の前面側でアンカーボルト５のねじ山に自動的に係入する（図２を参照）。なお、ケーブル受け２の挿入作業時にはケーブル押え３は上方へ開かれている。
【００１２】
次いで、ケーブル支持部２２の上面部２２ａに必要に応じてゴムスペーサ８を介在させてケーブルｃを布設し、ケーブル押え３を閉じて、ケーブル押え３の抜け止め３２，３２を下側から受け台１側の係止部１５，１５に係止させる一方、接合したケーブル支持部２２とケーブル押え３の前端の差し込み部２３ａ，３１ａに変形Ｕの字状の止めピン９を差し込んで掛け止めれば、ケーブルｃの支持作業は完了する（図５を参照）。
【００１３】
【発明の効果】
本発明は上記の如くであって、ケーブル受けとケーブル押えの接合部側の掛け止め及び受け台とケーブル押えとの係止作用によって、受け台からのケーブル受けの抜け止めが果たされ、ケーブル受けの装着状態は強固に安定し、また、ナットの脱落防止機能によって受け台自体の取り付け状態も安定して、ケーブルの支持機能を保持できる。特に、本ケーブル支持具は、ケーブル受けに支持されるケーブル位置と受け台１を固定するアンカーボルト位置がほぼ同じ高さとなるように構成されているので、トンネル内で風圧等により大きな荷重が作用しても応力は軽減されて強度的に安定し、耐久性も一段と向上する。
【図面の簡単な説明】
【図１】本発明の実施の形態を組み立てて示す正面図である。
【図２】図１のＡ−Ａ線断面図である。
【図３】図１に示すもの分離しゴムスペーサーを除いて後方側から見た斜視図である。
【図４】図３と同様な図で前方側から見た斜視図である。
【図５】図１に示すものの使用状態を前方側から見た略示的斜視図である。
【符号の説明】
１は受け台、２はケーブル受け、３はケーブル押え、４はヒンジ部、４ａは軸部、５はアンカーボルト、６はナット、７は脱落防止片、９は止めピン、１３は嵌合溝、１５は係止部、２１は嵌合部、２２はケーブル支持部、２３，３１は接合部、３２は抜け止めである。
【図１】
0003849538.tif 000002
【図２】
0003849538.tif 000003
【図３】
0003849538.tif 000004
【図４】
0003849538.tif 000005
【図５】
0003849538.tif 000006